(57)【要約】【課題】無線携帯電子装置のモード自動管理方法とシステムを提供する。【解決手段】  無線携帯電子装置のモード児童管理方法とシステムは、無線携帯電子装置が特定の場所／エリアに入った時に、無線携帯電子装置を特定の場所／エリアに対応する特定の状況状態で操作するよう自動的に設定する。モード自動管理システムは、全地球測位システム（ＧＰＳ）を有して即時動態地理座標を提供し、特定の場所／エリアをグループ化した電子地図を有し、モードテーブルを有して無線携帯電子装置が特定の場所／エリアに入った時の状況操作モードを定義する。これにより無線携帯電子装置は即時動態地理座標を随時受信し、即時動態地理座標と電子地図を照合して所在するグループを得て、無線携帯電子装置はグループに基づき対応する状況操作モード下で動作する。【選択図】  図５
2005192177.tif 000002
【特許請求の範囲】
【請求項１】
無線携帯電子装置のモード自動管理システムは、
全地球測位システム（ＧＰＳ）を有し、無線携帯電子装置に即時動態地理座標を提供し、
電子地図を有し、各特定の場所／エリアをグループ化した電子地図であり、該即時動態地理座標の特定の場所／エリアを照合し、
モードテーブルを有し、少なくとも一つの特定の場所／エリア欄と一つの状況操作モード欄を具え、各特定の場所／エリアに対応する状況操作モードを定義し、該無線携帯電子装置が該即時動態地理座標に照合された特定の場所／エリアに対応する状況操作モードで動作するようにして成ることを特徴とする無線携帯電子装置のモード自動管理方法とシステム。
【請求項２】
該無線携帯電子装置は、携帯電話、ノートパソコン、及び情報携帯端末（ＰＤＡ）の内の一つであることを特徴とする請求項１記載の無線携帯電子装置のモード自動管理システム。
【請求項３】
該各特定の場所／エリアは、それぞれ病院、実験室、飛行機、展覧会場、会議室であることを特徴とする請求項１記載の無線携帯電子装置のモード自動管理システム。
【請求項４】
該状況操作モードは、少なくとも電波オフ（ＲＦ  Ｏｆｆ）モード、電源オフ（Ｐｏｗｅｒ  Ｏｆｆ）モード、撮影機能禁止（Ｃａｍｅｒａ  Ｏｆｆ）モード、ミュート（Ｍｕｔｅ）モードを含むようにして成ることを特徴とする請求項１記載の無線携帯電子装置のモード自動管理システム。
【請求項５】
該全地球測位システム（ＧＰＳ）、該電子地図及び該状況もオードテーブルは該無線携帯電子装置に内蔵設置して成ることを特徴とする請求項１記載の無線携帯電子装置のモード自動管理システム。
【請求項６】
該全地球測位システム（ＧＰＳ）、該電子地図及び該モードテーブルは一外部接続型モジュールとして設置し、該外部接続型モジュールは該無線携帯電子装置に外付けプラグインするようにして成ることを特徴とする請求項１記載の無線携帯電子装置の状況モジュール自動管理システム。
【請求項７】
該モードテーブルは内容を更新することができる情況モードテーブルであるようにして成ることを特徴とする請求項１記載の無線携帯電子装置の情況モジュール自動管理システム。
【請求項８】
該電子地図は内容を更新することができる電子地図であるようにして成ることを特徴とする請求項１記載の無線携帯電子装置の情況モジュール自動管理システム。
【請求項９】
無線携帯電子装置のモード自動管理方法は、無線形態電子装置により実行し、そのフローは
（ａ）モードテーブル及び電子地図を提供し、該モードテーブルは少なくとも一つの特定の場所／エリア欄と一つの状況操作モード欄を具え、該電子地図の特定の場所／エリアはすべてグループ化してあり、
（ｂ）地理座標を受信するフローは、無線形態電子装置が全地球測位システム（ＧＰＳ）で即時動態地理座標を受信し、
（ｃ）無線携帯電子装置は受信した即時動態地理座標を電子地図に照合し、特定の場所／エリアに入っている場合にはフロー（ｄ）を行い、特定の場所／エリアに入っていない場合にはフロー（ｂ）に戻り、
（ｄ）該動態地理座標に対応する特定の場所／エリアを、該モードテーブルに基づき状況操作モードを調べ出し、
（ｅ）無線携帯電子装置は、フロー（ｄ）で調べ出した状況操作モードに基づき、該状況操作モード下で動作するよう自動的に設定し、
以上からなるフローにより、無線携帯電子装置が特定の場所／エリアに入った時、特定の場所／エリアに対応する特定モードで動作するように自動的に設定することができるようにして成ることを特徴とする無線携帯電子装置のモード自動管理方法。
【請求項１０】
該モードテーブルは特定の場所／エリア欄と状況操作モード欄を有して成ることを特徴とする請求項９記載の無線携帯電子装置のモード自動管理方法。
【請求項１１】
該特定の場所／エリア欄は以下の場所／エリア：病院、或いは実験室、或いは飛行機、或いは展覧会場、或いは会議室から選択できるようにして成ることを特徴とする請求項１０記載の無線携帯電子装置のモード自動管理方法。
【請求項１２】
該状況操作モード欄は以下の状況操作モード：電波オフ（ＲＦ  Ｏｆｆ）モード、或いは電源オフ（Ｐｏｗｅｒ  Ｏｆｆ）モード、或いは撮影機能禁止（Ｃａｍｅｒａ  Ｏｆｆ）モード、或いはミュート（Ｍｕｔｅ）モードから選択できるようにして成ることを特徴とする請求項１０記載の無線携帯電子装置のモード自動管理方法。
【発明の詳細な説明】
【技術分野】
【０００１】
本発明は無線携帯電子装置の応用に関し、特に無線携帯電子装置に応用するモード自動管理方法とシステムに関する。
【背景技術】
【０００２】
無線通信機能がある携帯電子装置１０、例えばノートパソコン、情報携帯端末（ＰＤＡ）、携帯電話などは、どれも無線電波送受信の機能があるが、無線電波送受信機能はある特定の場所２１、例えば病院、飛行機、会議室、劇場、講演会場、ガソリンスタンド、（ファッション）展覧会場などでは、どこも程度の異なる使用制限の要求があるため、上述の場所２１では無線通信機能がある携帯電子装置１０をミュートモード、電源オフモード、或いは受信可能送信不可モード、盗み撮り防止などといったモードに設定して、精密機器の操作と安全性への影響を避けたり、不必要な干渉を避けたりする必要がある。
【０００３】
図１に、特定の場所に設置したトランスミッタで状況状態制御信号を発信する略図を示す。携帯電子装置１０が特定の場所２１に入ると、携帯電子装置を特定の場所２１に適合する動作のモードにさせるべく、公知技術の方法では、必須出入口にトランスミッタ２０を配置し、トランスミッタ２０がモード制御信号を送信して、携帯電子装置１０に受信させ、これにより携帯電子装置１０は受信したモード制御信号に基づきモードを設定する。しかしトランスミッタ２０がカバーできる特定の場所２１の面積は非常に限られ、例えば携帯電子装置１０の使用者が必須出入り口に入る前に故意に携帯電子装置の電源を切り、トランスミッタ２０が作用を発揮できない特定の場所２１の大部分の面積で、また電源を入れて携帯電子装置１０を使用することができる。これは公知技術の主要な欠点である。
【発明の開示】
【発明が解決しようとする課題】
【０００４】
公知技術の欠点を解決し、本発明の無線携帯電子装置が特定の場所のどこにおいても全て適当なモードに自動的に入るようにして該場所の要求に適合させ、該場所を離れると自動的にもとの状態に戻るようにする全域制御方法を提供することを課題とする。
【課題を解決するための手段】
【０００５】
本発明は、無線携帯電子装置のモード自動管理方法とシステムを提供し、無線携帯電子装置が特定の場所／エリアに入った時、無線携帯電子装置が特定の場所／エリアに対応する特定モードで動作するよう自動的に設定されるようにする。
【０００６】
モード自動管理システムは、全地球測位システム（ＧＰＳ）を有して即時動態地理座標を提供し、各特定の場所／エリアをグループ化してある電子地図を有し、モードテーブルを有して無線携帯電子装置が特定の場所／エリアに入った時の状況操作モードを定義し、これにより無線携帯電子装置は即時動態地理座標を随時受信し、即時動態地理座標と電子地図を照合して現在地グループを得ると、無線携帯電子装置はグループに基づき対応する状況操作モード下で動作するよう自動的に設定される。
【発明の効果】
【０００７】
本発明のモード自動管理システムは全域制御方法であるため、本発明の無線携帯電子装置は特定の場所のどこにおいても全て適当なモードに自動的に入って該場所の要求に適合し、該場所を離れると自動的にもとの状態に戻る。これにより自動的に精密機械への影響や不必要な干渉が回避される。
【発明を実施するための最良の形態】
【０００８】
図２に本発明のモード自動管理システムを内蔵する無線携帯電子装置の構造を、図３に外部接続方式で本発明のモード自動管理システムをプラグインする無線携帯電子装置の構造を、図４に本発明のモード自動管理システムのブロックチャートを示す。本発明のモード自動管理システム４０は内蔵方式を採用して無線携帯電子装置３０内に設置することができ、或いはモード自動管理システム４０を外部接続型モジュールを採用して無線携帯電子装置３０のコネクタに外付けプラグインする。モード自動管理システム４０は主に、全地球測位システム（ＧＰＳ）４０１、電子地図４０３及びモードテーブル４０５を有す。全地球測位システム（ＧＰＳ）４０１は即時動態地理座標の提供に用い、電子地図４０３は特定の場所／エリアをグループ化してある電子地図であり、これにより、無線携帯電子装置３０の胴体位置は完全に電子地図４０３に照合される。同時に、無線携帯電子装置３０の現在位置である場所／エリアは、既にグループ化してある電子地図４０３中から、特定の場所／エリアの地理座標範囲内に位置するか否かを知ることができる。モードテーブル４０５は無線携帯電子装置３０が特定の場所／エリア４０５ａに入った時の状況操作モード４０５ｂを定義し、即ち無線携帯電子装置３０がどの設定指令を実行するべきかを定義して、設定後の無線携帯電子装置３０がその特定の場所／エリア４０５ａの使用規定に適合するようにする。
【０００９】
図５に無線携帯電子装置が本発明のモード自動管理システムを実行するフローを示し、図６にモードテーブルのデータ構造を示す。図５に示すフロー５０は無線携帯電子装置３０に実行される。まずプロセス５０１で、無線携帯電子装置３０は全地球測位システム（ＧＰＳ）４０１で即時動態地理座標を受信する。続いてプロセス５０３で、無線携帯電子装置３０は受信した即時動態地理座標を電子地図４０３に照合し、つまり無線携帯電子装置３０の現在地の地理位置がどの場所／エリアに位置するかを判断する。この場所／エリアが電子地図４０３のグループ化された特定の場所／エリア４０５ａであるか否かを判断し、真（Ｔｒｕｅ）であれば、プロセス５０５に進んでモードテーブル４０５を検索して特定の場所／エリア４０５ａに対応する状況操作モード４０５ｂを調べ出し、最後にプロセス５０７で自動的に無線携帯電子装置３０をこの状況操作モード４０５ｂのもとで動作するよう設定する。プロセス５０３で偽（Ｆａｌｓｅ）であった場合、無線携帯電子装置３０が全地球測位システム（ＧＰＳ）４０１から即時動態地理座標を受信するフローに戻る。
【００１０】
例えば無線携帯電子装置３０が病院や実験室などの特定の場所／エリア４０５ａに移動すると、無線携帯電子装置３０は図５のフロー５０を実行することにより、無線携帯電子装置３０が病院或いは実験室のどの場所にあっても、自動的に電波オフ（ＲＦ  Ｏｆｆ）モードで動作するよう設定される。また例えば無線携帯電子装置３０が図５のフロー５０を実行することにより、無線携帯電子装置３０が展覧会場のどこにあっても、自動的に撮影機能禁止（Ｃａｍｅｒａ  Ｏｆｆ）モードで動作するよう設定され、無線携帯電子装置３０のカメラは暫時撮影機能を起動することができなくなる。
【００１１】
本発明が応用される特定の場所／エリア４０５ａは病院、実験室、飛行機、展覧会場及び会議室だけに限られず、図６に掲げた特定の場所／エリア４０５ａは範例の説明に過ぎない。更に、本発明が採用する状況操作モード４０５ｂも電波オフモード、電源オフ（Ｐｏｗｅｒ  Ｏｆｆ）モード、撮影機能禁止モード及びミュートモードだけに限られず、本発明の状況操作モード４０５Ｂは無線携帯電子装置３０が具える各種動作機能に依って変更できる。
【００１２】
本発明の上述の電子地図４０３も内容を更新可能な電子地図とすることができ、同様にモードテーブル４０５も内容を更新可能なモードテーブルとすることができる。電子地図４０３とモードテーブル４０５の更新方法は、例えば無線携帯電子装置３０がインターネットからダウンロードして更新することもできる。
【００１３】
本発明の無線携帯電子装置３０の具体的実施例は、携帯電話、ノートパソコン、情報携帯端末（ＰＤＡ）などとすることができる。
【図面の簡単な説明】
【００１４】
【図１】特定の場所にトランスミッタを設置してモード制御信号を送信する概略図である。
【図２】本発明の自動管理システムを内蔵する無線携帯電子装置の構造略図である。
【図３】外部接続方式で本発明の自動管理システムをプラグインした無線携帯電子装置の構造略図である。
【図４】本発明の自動管理システムのブロックチャートである。
【図５】無線携帯電子装置が本発明のモード自動管理システムを実施するフローである。
【図６】モードテーブルのデータ構造図である。
【符号の説明】
【００１５】
１０ 無線通信機能を具えた携帯電子装置
２０ トランスミッタ
２１ 特定の場所
３０ 無線携帯電子装置
４０ モード自動管理システム
５０ フロー
４０１ 全地球測位システム（ＧＰＳ）
４０３ 電子地図
４０５ モードテーブル
４０５ａ 特定の場所／エリア
４０５ｂ 状況操作モード
５０１、５０３、５０５、５０７ プロセス
【図１】
2005192177.tif 000003
【図２】
2005192177.tif 000004
【図３】
2005192177.tif 000005
【図４】
2005192177.tif 000006
【図５】
2005192177.tif 000007
【図６】
2005192177.tif 000008